(57)【要約】【課題】造形がしやすく、かつ、造形物の形状を保つことができる造形用素材を提供する。【解決手段】造形用素材１は、伸縮性を有する袋２と、袋２の内部に充填され自然乾燥により硬化する粘土３と、を備えている。この造形用素材１では、伸縮性を有する袋２に粘土３が充填されているため、粘土３による造形がしやすい。さらに、自然乾燥により硬化する粘土３を使用しているため、造形された粘土３を簡単に硬化させることができる。つまり、この造形用素材１では、造形がしやすく、かつ、造形物の形状を保つことができる【選択図】図１
2010113205.tif 000002
【特許請求の範囲】
【請求項１】
伸縮性を有する袋と、
前記袋の内部に充填され自然乾燥により硬化する粘土と、
を備えた造形用素材。
【請求項２】
前記袋は、前記粘土の自然乾燥が可能な程度の通気性を有している、
請求項１に記載の造形用素材。
【請求項３】
前記袋は、本体部と、造形されていない状態で前記本体部から突出する少なくとも１つの突出部と、を有している、
請求項１または２に記載の造形用素材。
【請求項４】
複数の前記突出部は、左右対称に配置されている、
請求項３に記載の造形用素材。
【請求項５】
前記袋の中に前記粘土とともに配置された線状の形状保持材をさらに備えた、
請求項１から４のいずれかに記載の造形用素材。
【請求項６】
前記形状保持材の剛性は、硬化前の前記粘土の剛性よりも高い、
請求項５に記載の造形用素材。
【請求項７】
前記布の長手方向に平行な基準線を設定した場合、前記布は、前記基準線に対して編み目が傾斜するように配置されている、
請求項１から６のいずれかに記載の造形用素材。
【発明の詳細な説明】
【技術分野】
【０００１】
本発明は、粘土を用いた造形用素材に関する。
【背景技術】
【０００２】
粘土を用いて造形することは、従来から人々に親しまれている。
しかし、粘土を直接手で触ると、手が汚れる。
そこで、柔軟性のある素材で粘土をくるんだ玩具が提案されている（例えば、特許文献１を参照）。
【特許文献１】特開平１１−３３３１５２号公報
【発明の開示】
【発明が解決しようとする課題】
【０００３】
しかし、この玩具は、単に形状を変えるだけのものに過ぎず、造形物の形状を保つ技術については、何ら考慮されていない。
本発明の課題は、造形がしやすく、かつ、造形物の形状を保つことができる造形用素材を提供することにある。
【課題を解決するための手段】
【０００４】
本発明に係る造形用素材は、伸縮性を有する袋と、袋の内部に充填され自然乾燥により硬化する粘土と、を備えている。
この造形用素材では、伸縮性を有する袋に粘土が充填されているため、粘土による造形がしやすい。さらに、自然乾燥により硬化する粘土を使用しているため、造形された粘土を簡単に硬化させることができる。つまり、この造形用素材では、造形がしやすく、かつ、造形物の形状を保つことができる。
【発明の効果】
【０００５】
本発明は、造形がしやすく、かつ、造形物の形状を保つことができる造形用素材を提供できる。
【発明を実施するための最良の形態】
【０００６】
以下、図面に基づいて、本発明に係る造形用素材の実施形態について説明する。
＜造形用素材の構成＞
図１および図２を用いて、造形用素材１について説明する。図１は造形用素材１の平面図である。図２は図１のII−II断面図である。
図１および図２に示すように、造形用素材１は、人形や動物などの造形物を製作するための素材であり、袋２と、粘土３と、６本の形状保持材６と、を備えている。
袋２は、伸縮性のある布からなり、例えば編み物や織物により形成されている。袋２は、全体として人形のような形状を有しており、本体部４と、複数の突出部５ａ、５ｂ、５ｃと、を有している。
本体部４は、造形用素材１のベースの部分を形成しており、概ね円形あるいは楕円形の平面形状を有している。本体部４から外側に向かって、６つの突出部５ａ、５ｂおよび５ｃが突出している。
【０００７】
本体部４に対して基準線Ａを設定すると、２つの突出部５ａは基準線Ａに対して左右対称に配置されており、２つの突出部５ｂは基準線Ａに対して左右対称に配置されており、２つの突出部５ｃは基準線Ａに対して左右対称に配置されている。これらの突出部５ａ、５ｂ、５ｃは、造形時に人形の手足、あるいは動物の耳や手足などになり得る。基準線Ａは、例えば、袋２の長手方向に平行となるように、かつ、長手方向と直交する方向の中央付近に、設定されている。
袋２の中には、粘土３が充填されている。粘土３は、自然乾燥により硬化する粘土であり、例えば微小中空樹脂粘土である。粘土３の充填方法としては、例えば、袋２の一部に開口を設け、その開口から粘土３を充填する方法が考えられる。粘土３が袋２から出てこないように、粘土３を充填後、例えば開口は接着により閉じられる。これにより、粘土３の充填が完了する。
【０００８】
袋２は、粘土３が自然乾燥できるように、ある程度の通気性を有している。具体的には、例えば、袋２が編み物の場合、袋２が線状の素材を編むことで形成されており、この編み目の間を粘土３に含まれる水分子が通過できるようになっている。したがって、ここでいう「通気性」とは、水分子が通過できる程度の通気性を指している。
形状保持材６は、粘土３の中に埋め込まれている線状の素材であり、形状保持機能を有している。６本の形状保持材６のうち４本の形状保持材６は、図１に示す状態で基準線Ａに概ね平行となるように配置されており、基準線Ａと直交する方向に概ね等間隔で並んでいる。残り２本の形状保持材６は、図１に示す状態で基準線Ａに直交するように配置されている。本実施形態では、形状保持材６は、本体部４内にのみ配置されており、突出部５ａ、５ｂおよび５ｃ内には配置されていない。形状保持材６の材質としては、例えばポリエチレンが考えられる。形状保持材６の剛性は、硬化する前の粘土３の剛性よりも高く、このため、造形時に形状保持材６により形状を保持しやすくなる。粘土３を充填する際に、例えば、形状保持材６は、予め粘土３内に埋め込まれている。
【０００９】
さらに、袋２は、基準線Ａに対して、いわゆるバイアスとなるように編み目の向きが設定されている。具体的には、図３に示すように、基準線Ａに対して編み目（線２ａおよび２ｂ）が４５度だけ傾いている。この場合、方向Ｄ１（基準線Ａに平行な方向）および方向Ｄ２への袋２の伸縮性が高まる。
また、この造形用素材１は、粘土３が自然乾燥により硬化してしまうため、造形前は乾燥を防止できるビニール袋のような乾燥防止用袋１０に封入されている。粘土３の乾燥を考慮すると、この乾燥防止用袋１０の内部は真空に近い状態の方が好ましいが、乾燥を防止できるのであれば乾燥防止用袋１０の内部に空気が入っていてもよい。これにより、造形開始までに粘土３が乾燥してしまうのを防止できる。
＜造形例＞
ここで、造形用素材１を用いた造形例について図５（Ａ）および（Ｂ）を用いて説明する。
【００１０】
図５（Ａ）には、造形用素材１を用いて造形されたウサギ１ａが示されている。このウサギ１ａは、突出部５ａが耳、突出部５ｂが前足、突出部５ｃが後足、にそれぞれ造形されている。例えば、突出部５ａ、５ｂおよび５ｃが本体部４からさらに突出するように、これらの部分を引っ張ったりして延ばすことで、これらの造形が行われる。
また、ウサギ１ａには、目１１および鼻１２として、例えばボタンが袋２に縫いつけられている。このように、袋２が布であるため、手芸で用いられている様々なものを造形用素材１に縫いつけることができ、造形物の装飾を容易に行うことができる。
また、図５（Ｂ）には、造形用素材１を用いて造形されたフクロウ１ｂが示されている。このフクロウ１ｂは、突出部５ｃが耳、突出部５ｂが羽根、突出部５ａが足、にそれぞれ造形されている。つまり、ウサギ１ａの場合とは異なり、フクロウ１ｂは造形用素材１の上下が逆になっている。例えば、突出部５ｃが本体部４側に若干押し込まれることで、耳が形成されている。突出部５ａが本体部４側に若干押し込まれることで、足が形成されている。このように、袋２に伸縮性があるため、突出部５ａ、５ｂおよび５ｃを押し込むこともできる。
【００１１】
＜造形用素材の特徴＞
（１）
以上に説明したように、この造形用素材１では、伸縮性を有する袋２に粘土３が充填されているため、粘土３による造形がしやすい。さらに、自然乾燥により硬化する粘土３を使用しているため、造形された粘土３を簡単に硬化させることができる。つまり、この造形用素材１では、造形がしやすく、かつ、造形物の形状を保つことができる。
（２）
この造形用素材１では、袋２が通気性を有しているため、内部の粘土３を自然乾燥させることができる。
（３）
この造形用素材１では、袋２が６つの突出部５ａ、５ｂおよび５ｃを有しているため、突出部５ａ、５ｂおよび５ｃを利用して造形することで、造形可能なものの幅がさらに広がる。
【００１２】
（４）
この造形用素材１では、複数の突出部５ａ、５ｂおよび５ｃが基準線Ａに対して左右対称に配置されているため、人形や動物を造形する際に突出部５ａ、５ｂおよび５ｃをさらに利用しやすくなる。
（５）
この造形用素材１では、線状の形状保持材６が袋２の中に粘土３とともに配置されているため、造形時に形状を保持しやすくなる。
（６）
この造形用素材１では、形状保持材６の剛性が硬化前の粘土３の剛性よりも高いため、造形物の形を保ちやすくなり、さらに造形しやすくなる。
【００１３】
（７）
この造形用素材１では、袋２の編み目が基準線Ａに対してバイアスとなるように設定されているため、基準線Ａに平行な方向Ｄ１および垂直な方向Ｄ２の伸縮性を高めることができる。
＜他の実施形態＞
本発明の具体的な構成は、前述の実施形態に限られるものではなく、発明の要旨を逸脱しない範囲で種々の変更および修正が可能である。
（１）
前述の実施形態では、袋２として編み物や織物の布を使用しているが、伸縮性および通気性を有していれば、他の素材であってもよい。
【００１４】
（２）
前述の実施形態では、粘土３として紙粘土を使用しているが、自然乾燥する粘土であれば、他の素材であってもよい。
（３）
前述の実施形態では、形状保持材６としてポリエチレン製の線状の素材を使用しているが、硬化前の粘土３よりも剛性が高い材質であれば、他の素材であってもよい。
（４）
前述の実施形態では、袋２の編み目が基準線Ａに対して４５度だけ傾斜しているが、傾斜角度は４５度に限定されない。例えば、編み目が基準線Ａに対して３０度から６０度の範囲内で傾斜していれば、方向Ｄ１およびＤ２への伸縮性を高めることができる。
【００１５】
また、袋２が伸縮性を有していれば、袋２の編み目が基準線Ａに対してバイアスとなっていなくてもよい。
（５）
袋２は完全に閉じた袋でなくてもよく、一部が開いていてもよい。例えば、粘土３を充填するための開口が小さい場合は、開口を閉じる必要がない。このため、袋２が比較的小さな開口を有していてもよい。
なお、開口の閉じ方は、前述の接着に限られず、例えば、縫合あるいは開口よりも大きい別の布を貼り付けるなどの方法も考えられる。
（６）
突出部５ａ、５ｂおよび５ｃの位置、形状および数量は、前述の実施形態に限定されない。例えば、突出部が１つだけであっても、造形に利用することができる。
【００１６】
（７）
形状保持材６は本体部４内のみに配置されているが、例えば図６に示す造形用素材１０１のように、形状保持材１０６が突出部５ａ〜５ｃ内まで延びていてもよい。この場合、突出部５ａおよび５ｃを用いて造形する際に、突出部５ａおよび５ｃの形状を保持しやすくなる。
（８）
前述の図５（Ａ）および（Ｂ）では、ウサギやフクロウを例に造形物を説明したが、造形用素材１を用いて造形できる物は、これらに限定されない。造形用素材１を用いて人形や花なども造形できる。
【図面の簡単な説明】
【００１７】
【図１】造形用素材の平面図。
【図２】図１のII−II断面図。
【図３】編み目の拡大図。
【図４】外装の平面図。
【図５】造形物の例。
【図６】造形用素材の平面図（他の実施形態）
【符号の説明】
【００１８】
１  造形用素材
２  袋
３  粘土
４  本体部
５ａ、５ｂおよび５ｃ  突出部
６  形状保持材
１０  外装
【図１】
2010113205.tif 000003
【図２】
2010113205.tif 000004
【図３】
2010113205.tif 000005
【図４】
2010113205.tif 000006
【図５】
2010113205.tif 000007
【図６】
2010113205.tif 000008
【手続補正書】
【提出日】平成21年1月28日(2009.1.28)
【手続補正１】
【補正対象書類名】特許請求の範囲
【補正対象項目名】全文
【補正方法】変更
【補正の内容】
【特許請求の範囲】
【請求項１】
伸縮性を有する袋と、
前記袋の内部に充填され自然乾燥により硬化する粘土と、
前記袋の中に前記粘土とともに配置された線状の形状保持材と、を備え、
前記袋は、本体部と、基準線に対して対称に配置され前記本体部から突出する１対の突出部と、を有しており、
前記本体部を形成する布の編み目は、前記基準線および前記形状保持材に対して傾斜するように配置されている、
造形用素材。
【請求項２】
前記袋は、前記粘土の自然乾燥が可能な程度の通気性を有している、
請求項１に記載の造形用素材。
【請求項３】
前記形状保持材は、前記突出部内まで延びている、
請求項１または２に記載の造形用素材。
【請求項４】
前記形状保持材の剛性は、硬化前の前記粘土の剛性よりも高い、
請求項１から３のいずれかに記載の造形用素材。
【請求項５】
前記１対の突出部は、前記本体部から前記基準線に沿って延びている、
請求項１から４のいずれかに記載の造形用素材。
【手続補正２】
【補正対象書類名】明細書
【補正対象項目名】全文
【補正方法】変更
【補正の内容】
【発明の詳細な説明】
【技術分野】
【０００１】
本発明は、粘土を用いた造形用素材に関する。
【背景技術】
【０００２】
粘土を用いて造形することは、従来から人々に親しまれている。
しかし、粘土を直接手で触ると、手が汚れる。
そこで、柔軟性のある素材で粘土をくるんだ玩具が提案されている（例えば、特許文献１を参照）。
【特許文献１】特開平１１−３３３１５２号公報
【発明の開示】
【発明が解決しようとする課題】
【０００３】
しかし、この玩具は、単に形状を変えるだけのものに過ぎず、造形物の形状を保つ技術については、何ら考慮されていない。
本発明の課題は、造形がしやすく、かつ、造形物の形状を保つことができる造形用素材を提供することにある。
【課題を解決するための手段】
【０００４】
本発明に係る造形用素材は、伸縮性を有する袋と、袋の内部に充填され自然乾燥により硬化する粘土と、袋の中に粘土とともに配置された線状の形状保持材と、を備えている。袋は、本体部と、基準線に対して対称に配置され本体部から突出する１対の突出部と、を有している。本体部を形成する布の編み目は、基準線および形状保持材に対して傾斜するように配置されている。
この造形用素材では、伸縮性を有する袋に粘土が充填されているため、粘土による造形がしやすい。さらに、自然乾燥により硬化する粘土を使用しているため、造形された粘土を簡単に硬化させることができる。つまり、この造形用素材では、造形がしやすく、かつ、造形物の形状を保つことができる。
【発明の効果】
【０００５】
本発明は、造形がしやすく、かつ、造形物の形状を保つことができる造形用素材を提供できる。
【発明を実施するための最良の形態】
【０００６】
以下、図面に基づいて、本発明に係る造形用素材の実施形態について説明する。
＜造形用素材の構成＞
図１および図２を用いて、造形用素材１について説明する。図１は造形用素材１の平面図である。図２は図１のII−II断面図である。
図１および図２に示すように、造形用素材１は、人形や動物などの造形物を製作するための素材であり、袋２と、粘土３と、６本の形状保持材６と、を備えている。
袋２は、伸縮性のある布からなり、例えば編み物や織物により形成されている。袋２は、全体として人形のような形状を有しており、本体部４と、複数の突出部５ａ、５ｂ、５ｃと、を有している。
本体部４は、造形用素材１のベースの部分を形成しており、概ね円形あるいは楕円形の平面形状を有している。本体部４から外側に向かって、６つの突出部５ａ、５ｂおよび５ｃが突出している。
【０００７】
本体部４に対して基準線Ａを設定すると、２つの突出部５ａは基準線Ａに対して左右対称に配置されており、２つの突出部５ｂは基準線Ａに対して左右対称に配置されており、２つの突出部５ｃは基準線Ａに対して左右対称に配置されている。これらの突出部５ａ、５ｂ、５ｃは、造形時に人形の手足、あるいは動物の耳や手足などになり得る。基準線Ａは、例えば、袋２の長手方向に平行となるように、かつ、長手方向と直交する方向の中央付近に、設定されている。
袋２の中には、粘土３が充填されている。粘土３は、自然乾燥により硬化する粘土であり、例えば微小中空樹脂粘土である。粘土３の充填方法としては、例えば、袋２の一部に開口を設け、その開口から粘土３を充填する方法が考えられる。粘土３が袋２から出てこないように、粘土３を充填後、例えば開口は接着により閉じられる。これにより、粘土３の充填が完了する。
【０００８】
袋２は、粘土３が自然乾燥できるように、ある程度の通気性を有している。具体的には、例えば、袋２が編み物の場合、袋２が線状の素材を編むことで形成されており、この編み目の間を粘土３に含まれる水分子が通過できるようになっている。したがって、ここでいう「通気性」とは、水分子が通過できる程度の通気性を指している。
形状保持材６は、粘土３の中に埋め込まれている線状の素材であり、形状保持機能を有している。６本の形状保持材６のうち４本の形状保持材６は、図１に示す状態で基準線Ａに概ね平行となるように配置されており、基準線Ａと直交する方向に概ね等間隔で並んでいる。残り２本の形状保持材６は、図１に示す状態で基準線Ａに直交するように配置されている。本実施形態では、形状保持材６は、本体部４内にのみ配置されており、突出部５ａ、５ｂおよび５ｃ内には配置されていない。形状保持材６の材質としては、例えばポリエチレンが考えられる。形状保持材６の剛性は、硬化する前の粘土３の剛性よりも高く、このため、造形時に形状保持材６により形状を保持しやすくなる。粘土３を充填する際に、例えば、形状保持材６は、予め粘土３内に埋め込まれている。
【０００９】
さらに、袋２は、基準線Ａに対して、いわゆるバイアスとなるように編み目の向きが設定されている。具体的には、図３に示すように、基準線Ａに対して編み目（線２ａおよび２ｂ）が４５度だけ傾いている。この場合、方向Ｄ１（基準線Ａに平行な方向）および方向Ｄ２への袋２の伸縮性が高まる。
また、この造形用素材１は、粘土３が自然乾燥により硬化してしまうため、造形前は乾燥を防止できるビニール袋のような乾燥防止用袋１０に封入されている。粘土３の乾燥を考慮すると、この乾燥防止用袋１０の内部は真空に近い状態の方が好ましいが、乾燥を防止できるのであれば乾燥防止用袋１０の内部に空気が入っていてもよい。これにより、造形開始までに粘土３が乾燥してしまうのを防止できる。
＜造形例＞
ここで、造形用素材１を用いた造形例について図５（Ａ）および（Ｂ）を用いて説明する。
【００１０】
図５（Ａ）には、造形用素材１を用いて造形されたウサギ１ａが示されている。このウサギ１ａは、突出部５ａが耳、突出部５ｂが前足、突出部５ｃが後足、にそれぞれ造形されている。例えば、突出部５ａ、５ｂおよび５ｃが本体部４からさらに突出するように、これらの部分を引っ張ったりして延ばすことで、これらの造形が行われる。
また、ウサギ１ａには、目１１および鼻１２として、例えばボタンが袋２に縫いつけられている。このように、袋２が布であるため、手芸で用いられている様々なものを造形用素材１に縫いつけることができ、造形物の装飾を容易に行うことができる。
また、図５（Ｂ）には、造形用素材１を用いて造形されたフクロウ１ｂが示されている。このフクロウ１ｂは、突出部５ｃが耳、突出部５ｂが羽根、突出部５ａが足、にそれぞれ造形されている。つまり、ウサギ１ａの場合とは異なり、フクロウ１ｂは造形用素材１の上下が逆になっている。例えば、突出部５ｃが本体部４側に若干押し込まれることで、耳が形成されている。突出部５ａが本体部４側に若干押し込まれることで、足が形成されている。このように、袋２に伸縮性があるため、突出部５ａ、５ｂおよび５ｃを押し込むこともできる。
【００１１】
＜造形用素材の特徴＞
（１）
以上に説明したように、この造形用素材１では、伸縮性を有する袋２に粘土３が充填されているため、粘土３による造形がしやすい。さらに、自然乾燥により硬化する粘土３を使用しているため、造形された粘土３を簡単に硬化させることができる。つまり、この造形用素材１では、造形がしやすく、かつ、造形物の形状を保つことができる。
（２）
この造形用素材１では、袋２が通気性を有しているため、内部の粘土３を自然乾燥させることができる。
（３）
この造形用素材１では、袋２が６つの突出部５ａ、５ｂおよび５ｃを有しているため、突出部５ａ、５ｂおよび５ｃを利用して造形することで、造形可能なものの幅がさらに広がる。
【００１２】
（４）
この造形用素材１では、複数の突出部５ａ、５ｂおよび５ｃが基準線Ａに対して左右対称に配置されているため、人形や動物を造形する際に突出部５ａ、５ｂおよび５ｃをさらに利用しやすくなる。
（５）
この造形用素材１では、線状の形状保持材６が袋２の中に粘土３とともに配置されているため、造形時に形状を保持しやすくなる。
（６）
この造形用素材１では、形状保持材６の剛性が硬化前の粘土３の剛性よりも高いため、造形物の形を保ちやすくなり、さらに造形しやすくなる。
【００１３】
（７）
この造形用素材１では、袋２の編み目が基準線Ａに対してバイアスとなるように設定されているため、基準線Ａに平行な方向Ｄ１および垂直な方向Ｄ２の伸縮性を高めることができる。
＜他の実施形態＞
本発明の具体的な構成は、前述の実施形態に限られるものではなく、発明の要旨を逸脱しない範囲で種々の変更および修正が可能である。
（１）
前述の実施形態では、袋２として編み物や織物の布を使用しているが、伸縮性および通気性を有していれば、他の素材であってもよい。
【００１４】
（２）
前述の実施形態では、粘土３として紙粘土を使用しているが、自然乾燥する粘土であれば、他の素材であってもよい。
（３）
前述の実施形態では、形状保持材６としてポリエチレン製の線状の素材を使用しているが、硬化前の粘土３よりも剛性が高い材質であれば、他の素材であってもよい。
（４）
前述の実施形態では、袋２の編み目が基準線Ａに対して４５度だけ傾斜しているが、傾斜角度は４５度に限定されない。例えば、編み目が基準線Ａに対して３０度から６０度の範囲内で傾斜していれば、方向Ｄ１およびＤ２への伸縮性を高めることができる。
【００１５】
また、袋２が伸縮性を有していれば、袋２の編み目が基準線Ａに対してバイアスとなっていなくてもよい。
（５）
袋２は完全に閉じた袋でなくてもよく、一部が開いていてもよい。例えば、粘土３を充填するための開口が小さい場合は、開口を閉じる必要がない。このため、袋２が比較的小さな開口を有していてもよい。
なお、開口の閉じ方は、前述の接着に限られず、例えば、縫合あるいは開口よりも大きい別の布を貼り付けるなどの方法も考えられる。
（６）
突出部５ａ、５ｂおよび５ｃの位置、形状および数量は、前述の実施形態に限定されない。例えば、突出部が１つだけであっても、造形に利用することができる。
【００１６】
（７）
形状保持材６は本体部４内のみに配置されているが、例えば図６に示す造形用素材１０１のように、形状保持材１０６が突出部５ａ〜５ｃ内まで延びていてもよい。この場合、突出部５ａおよび５ｃを用いて造形する際に、突出部５ａおよび５ｃの形状を保持しやすくなる。
（８）
前述の図５（Ａ）および（Ｂ）では、ウサギやフクロウを例に造形物を説明したが、造形用素材１を用いて造形できる物は、これらに限定されない。造形用素材１を用いて人形や花なども造形できる。
【図面の簡単な説明】
【００１７】
【図１】造形用素材の平面図。
【図２】図１のII−II断面図。
【図３】編み目の拡大図。
【図４】外装の平面図。
【図５】造形物の例。
【図６】造形用素材の平面図（他の実施形態）
【符号の説明】
【００１８】
１  造形用素材
２  袋
３  粘土
４  本体部
５ａ、５ｂおよび５ｃ  突出部
６  形状保持材
１０  外装